(57)【要約】【課題】ワイパブレード１に設けられるブレードラバー２の窓面に対する弾圧力が、レバー体４による支持相当部位２ａと、隣接する支持相当部位の中間部位２ｂとで摩擦抵抗が異なるため、払拭不良やヒビリ音が発生したりする不具合を解消する。【解決手段】電子線を、ブレードラバー２のレバー体支持相当部位２ａから隣接する支持相当部位の中間部位２ｂに至るまで吸収線量が漸次小さくなるように照射して中間部２ａに対して支持相当部位２ａ側ほど硬化させ、これによってブレードラバーの硬度を、ブレードラバー２の窓面Ｗに対する弾圧力と相殺するように変化させて窓面払拭性能を向上する。【選択図】図２
2007216780.tif 000002
【特許請求の範囲】
【請求項１】
ワイパアームが往復揺動することで窓面を払拭するためのブレードラバーであって、該ブレードラバーは、ブレードラバーの窓面に対する弾圧力が大きい部位ほど硬くなるよう変化させた硬化処理が施されたものであることを特徴とするブレードラバー。
【請求項２】
硬化処理は硬化促進線源の照射によるものとし、該照射による硬化促進線源の吸収線量を異ならしめることにより変化させた硬化処理が施されていることを特徴とする請求項１記載のブレードラバー。
【請求項３】
硬化促進線源の照射時間または／および照射強度を異ならしめることにより吸収線量を異ならしめていることを特徴とする請求項２記載のブレードラバー。
【請求項４】
ブレードラバーがワイパアーム側に支持される保持部と、該保持部から肉薄なネック部を介して設けられる逆三角形状の基部とからなるものであるとき、ネック部が硬化処理を施されているものであることを特徴とする請求項１または２記載のブレードラバー。
【請求項５】
ワイパアームが往復揺動することで窓面を払拭するためのブレードラバーの処理方法であって、該ブレードラバーを、ブレードラバーの窓面に対する弾圧力が大きい部位ほど硬くなるよう変化させた硬化処理を施したものであることを特徴とするブレードラバーの処理方法。
【発明の詳細な説明】
【技術分野】
【０００１】
本発明は、車両の窓面を払拭するためのブレードラバーおよびその処理方法の技術分野に属するものである。
【背景技術】
【０００２】
一般に、窓面払拭をするワイパブレードのなかには、窓面に当接するブレードラバーの窓面当接部とは反対側部位をチャンネルで支持し、該チャンネル３をレバー体で点在的に支持し、該レバー体をさらにワイパアームに連結するための連結部で支持するように構成したものがあり、このような構成のワイパブレードを用いて窓面を払拭したときに、ブレードラバーの窓面に対する弾圧力（当接力）は、前記レバー体による点在的な支持部位は強く、支持部位から離間するほど弱く、隣接する支持部位の中間位置が最も弱くなってブレードラバー各部位での摩擦抵抗が異なり、この結果、払拭不良、ブレードラバーの振動に伴うビビリ音の発生等の不具合がある。
この改善策として、ブレードラバーのネック部やリップ部の幅（肉厚）等の形状を変化させて摩擦抵抗を調整するようにしたものが提唱されている（例えば特許文献１）。
【特許文献１】実開平１−１７６５６９号公報
【発明の開示】
【発明が解決しようとする課題】
【０００３】
ところが、前記形状変化させたものでは、ブレードラバー形状が均一でないため金型形状が複雑になって生産性が悪いだけでなく取り扱いづらいものになるという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、ワイパアームが往復揺動することで窓面を払拭するためのブレードラバーであって、該ブレードラバーは、ブレードラバーの窓面に対する弾圧力が大きい部位ほど硬くなるよう変化させた硬化処理が施されたものであることを特徴とするブレードラバーである。
請求項２の発明は、硬化処理は硬化促進線源の照射によるものとし、該照射による硬化促進線源の吸収線量を異ならしめることにより変化させた硬化処理が施されていることを特徴とする請求項１記載のブレードラバーである。
請求項３の発明は、硬化促進線源の照射時間または／および照射強度を異ならしめることにより吸収線量を異ならしめていることを特徴とする請求項２記載のブレードラバーである。
請求項４の発明は、ブレードラバーがワイパアーム側に支持される保持部と、該保持部から肉薄なネック部を介して設けられる逆三角形状の基部とからなるものであるとき、ネック部が硬化処理を施されているものであることを特徴とする請求項１または２記載のブレードラバーである。
請求項５の発明は、ワイパアームが往復揺動することで窓面を払拭するためのブレードラバーの処理方法であって、該ブレードラバーを、ブレードラバーの窓面に対する弾圧力が大きい部位ほど硬くなるよう変化させた硬化処理を施したものであることを特徴とするブレードラバーの処理方法である。
【発明の効果】
【０００５】
請求項１または５の発明とすることにより、ブレードラバーを、全体に亘って形状を均一にしたものでありながら、ブレードラバーの窓面に対する弾圧力が大きい部位ほど硬くなるよう変化したものとなって弾圧力に対応しての摩擦抵抗の変化を存するものとなって払拭不良やビビリ音の発生を防止することができる。
請求項２または３の発明とすることにより、ブレードラバーの硬化変化の処理を簡単に行えることになる。
請求項４の発明とすることにより、ネック部が他の部位よりも硬くなって弾圧力が他の部分よりも大きくなり、この結果、払拭時の倒れ角が大きくなってネック部とそれ以外の部分の倒れ角の均一化が図れ、払拭性能が向上することになる。
【発明を実施するための最良の形態】
【０００６】
次ぎに、本発明の実施の形態について、図面に基づいて説明する。図中、１は車両の窓面を払拭するためのワイパブレードであって、該ワイパブレード１は、窓面Ｗに弾性的に当接して払拭作動する後述のブレードラバー２と、該ブレードラバー２の窓面当接側とは反対側部位を支持するチャンネル３と、該チャンネル３を点在的に支持するレバー体（本実施の形態のものはプライマリーとセカンダリーのレバー体が設けられているがこれに限定されないものであることは言うまでもない）４と、該レバー体４を支持する状態でワイパアーム５に連結される連結部６とを備えて構成されている。そしてワイパブレード１は、ワイパモータ７の駆動に伴うワイパアーム５のピボット軸８を軸芯とする往復揺動に伴い窓面Ｗの払拭をするようになっていること等は何れも従来通りである。
【０００７】
前記ブレードラバー２は、通常知られた加硫ゴムが採用されるが、ゴム材としては特に限定されず、天然ゴム（ＮＲ）、イソプレンゴム（ＩＲ）、ブタジエンゴム（ＢＲ）、スチレン−ブタジエン共重合ゴム（ＳＢＲ）、アクリロニトリル−ブタジエン共重合ゴム（ＮＢＲ）、クロロプレンゴム（ＣＲ）、フッ素ゴム（ＦＫＭ）、ブチルゴム（ＩＩＲ）、エチレン−プロピレン共重合ゴム（ＥＰＭ）、エチレン−プロピレン−ジエン三元共重合ゴム（ＥＰＤＭ）、水素化ニトリルゴム（水素化ＮＢＲ）、シリコーンゴム、エピクロロヒドリンゴム（ＣＯ、ＥＣＯ）、多硫化ゴム（Ｔ）、ウレタンゴム（Ｕ）の単独または複数混合したものを例示することができる。そしてこのゴム材に、加硫剤、加硫促進剤、軟化剤、老化防止剤、充填剤、シランカップリング剤、シリカ、カーボンブラック等の通常知られた添加剤を配合したものをプレス加硫等の従来公知の方法により加硫して製造したブレードラバー２を挙げることができる。
【０００８】
上記ブレードラバー２の硬化処理としては、例えば、紫外線処理、プラズマ処理、電子線処理、放射線（α線、β線、γ線）処理、イオンビーム処理、コロナ放電処理等の硬化促進線源の照射による硬化処理を一般に用いることができ、このような硬化処理を施すことにより、加硫ゴムの加硫が促進し、あるいは加硫ゴムの表面の硬化が促進して硬化が促進され、これによって摩擦抵抗が小さくなる。
このように硬化促進線源を用いた硬化処理を行う場合、硬化処理の変化は、処理時間の長短調整、照射強度の強弱調整の何れか一方、あるいは両者を組み合わせることによって実施することができる。つまりこれら硬化処理の調整は、照射線源の吸収線量を変化させることで実行することができ、吸収線量が大きいほどブレードラバー２の硬化が促進して硬くなり、摩擦抵抗が小さくなる。
【０００９】
そして例えば硬化処理が電子線照射である場合、吸収線量を１０〜２００ｋＧｙ（キログレイ）に変化させると、硬度が２〜１０度（ＪＩＳ Ａ硬度またはデュロメータ  タイプＡによる測定、以下同じ）ほど変化することが実験的に確認されている。
ブレードラバー２の硬化処理部位としては、図３に示すように、ブレードラバー２の前記チャンネルに支持される（保持される）保持部２ｃと該保持部２ｃから肉薄なネック部２ｄを介して設けられる逆三角形状の基部２ｅとを含む全体でもよいが、保持部２ｃを除いたネック部２ｄと基部２ｅとすることもでき、さらには払拭作動をするとき倒れる（屈曲する）前記ネック部２ｄ、窓面に当接して実質的な払拭作動をするリップ部２ｆ、基部２ｅの残りの２頂点となるアーム部２ｇとすることもできるが、ネック部２ｄとすることが効果的である。つまりネック部２ｄに硬化処理を施して該ネック部２ｄを硬化させると、該ネック部２ｄが他の部位よりも硬く（硬度が高く）なって弾圧力が他の部分よりも大きくなり、この結果、払拭時の倒れ角θが大きく（倒れづらく）なってネック部２ｄとそれ以外の部分の倒れ角θの均一化が図れ、払拭性能が向上することになる。
因みに、硬化促進線源が放射線のように透過力が強い線源の照射である場合、該照射によりブレードラバー内部まで加硫が促進されることになり、このようなものでは、加硫前のブレードラバー２に対して吸収線量を異ならしめて照射するようにしても本発明を実施することができ、このようにしたときには、ブレードラバーとして必要な強度を得るための加硫と、硬化を異ならしめるための硬化処理とが同時に実施できることになるという利点がある。また、ブレードラバーの横断面形状は長手方向で略一定とし、硬化促進源によってブレードラバーの硬度を可変にすることが可能であるため、ブレードラバーの形状設計が容易となるという利点もある。
【００１０】
そうして上記硬化処理をブレードラバー２に施すことになるが、硬化促進線源の照射により硬さに変化をもたせるものである場合、ブレードラバー２のレバー体４の支持相当部位２ａを最も吸収線量が多くなり、該支持相当部位から離間する部位ほど吸収線量を少なくし、隣接する支持相当部位の中間部位（真ん中部位）２ｂを最も吸収線量が小さくなるようにし、これによって、ブレードラバー２の硬度を、レバー体４の支持相当部位２ａから隣接する支持相当部位の中間部位（真ん中部位）２ｂに至るほど漸次小さくなるようにして摩擦係数を、ブレードラバー２がレバー体４側から受ける押圧力変化（図２に示す波線状態の変化）とは逆状態とし、これによってブレードラバー２の前記弾圧力の変化を硬度に変化をもたせることで相殺するようにして摩擦抵抗を均一化し、払拭不良やブレードラバーの振動に伴うビビリ音の発生等の不具合を回避できることになる。
【００１１】
尚、本発明で採用できるブレードラバーとしては、前記実施の形態で示したレバー体４で支持するものに限定されず、図４に示す第二の実施の形態のもののようにレバー体９ａを一つのものとし、該レバー体９ａの両端に設けられた支持部９ｂでチャンネル１０を支持する構成のワイパブレード９についても実施することができる。つまりこのものは、チャンネル１０が一点破線で示すように湾曲するものであって、ワイパブレード９は、窓面Ｗに当接しない自然状態では同じように湾曲している。そしてこのものを窓面Ｗに弾圧状に当接した場合、ブレードラバー１１は、ワイパアームに連結される連結部１２からレバー体９ａの両端支持部９ｂの二箇所への押圧力を伝達し窓面Ｗに均一になるように分圧するものである。この場合、ブレードラバー１１の両端部１１ａと中央部１１ｂにはレバー体９ａの両端支持部９ｂから離間するほど弾圧力が小さくなっていく。そこでレバー体９ａ両端の支持部９ｂの直下が硬く、レバー体９ａ両端の支持部９ｂの直下から離れるほど緩やかな硬化処理を施すようにすることで本発明を実施することができる。
【００１２】
＜実施例＞  次に、硬化促進線源として電子線を照射して本発明を実施した場合について次に説明する。ブレードラバー２は、天然ゴムを用いた汎用のものを用い、該ブレードラバー２のネック部２ｄに対し、吸収線量として１０〜２００ｋＧｙ（キログレイ）の変化があるよう電子線を照射する。この電子線の吸収線量の変化は、照射強度、照射時間の調整によって実施できるが、窓面の上端側を払拭する先端部から下端側を払拭する基端部に至るまでを、レバー体４による支持相当部位２ａを最も大きい吸収線量とし、該支持相当部位から離間するほど吸収線量を小さくしていき、隣接する支持相当部位の中間部位（真ん中部位）２ｂが最も吸収線量が小さくなるように変化させて照射する。このようにして硬化処理が施されたワイパブレードネック部２ｄは、支持相当部位２ａが中間部位２ｂに対し５度の硬度アップがなされ、このあいだの部位の硬度は支持相当部位２ａに近くなるほど漸次高くなっていた。そしてこのものを実際に用いてワイパブレード１を製造したところ、図３（Ａ）に示すように支持相当部位がある部位と同図（Ｂ）に示すように支持部位がない部位との倒れ角θが略一致したものとなって払拭不良やビビリ音の発生が殆んどなく、硬化処理を施さないものに比して性能アップが確認された。
【図面の簡単な説明】
【００１３】
【図１】窓部の概略斜視図である。
【図２】ブレードラバーの弾圧力の大きさを記載したワイパブレードの正面図である。
【図３】（Ａ）（Ｂ）はブレードラバーの支持相当部位がある部位とない部位の払拭作動時を示すの断面図である。
【図４】他例を示すワイパブレードの正面図である。
【符号の説明】
【００１４】
１    ワイパブレード
２    ブレードラバー
２ａ  レバー体支持相当部位
２ｂ  レバー体支持相当部位間の中間部位
【図１】
2007216780.tif 000003
【図２】
2007216780.tif 000004
【図３】
2007216780.tif 000005
【図４】
2007216780.tif 000006